(57)【要約】【課題】コストをかけることなく、電話番号のなりすまし等の不正アクセスを防止してセキュリティー性の向上を図ることのできる電話端末機、及び、かかる電話端末機を備えた遠隔制御システムを提供する。【解決手段】電話端末機２は、携帯電話機からの着呼を検出すると、認証情報取得手段（第１認証情報取得プログラム２５４ｃ等）による着呼回数のカウント及び取得手段（電話番号取得プログラム２５４ｄ等）による電話番号の取得を行い、認証手段（第１認証プログラム２５４ｅ等）による認証を行った場合には、認証情報記憶手段（認証情報登録テーブル２５３ａ等）により記憶された携帯電話機の電話番号に対して、発呼手段（発呼プログラム２５４ｆ等）により自動的に発呼し、当該発呼により接続された携帯電話機からの制御信号に基づいて、宅内機器１の制御を行う。【選択図】図２
2007081664.tif 000002
【特許請求の範囲】
【請求項１】
遠隔制御の対象である対象機器と、前記対象機器に接続された電話端末機と、前記電話端末機に電話回線を介して接続されて前記対象機器の遠隔操作を行う外部電話端末機と、を備える遠隔制御システムにおいて、
前記電話端末機は、
前記外部電話端末機の第１認証情報と電話番号とを対応付けて記憶する第１認証情報記憶手段と、
前記外部電話端末機からの着呼を検出する着呼検出手段と、
前記着呼検出手段により前記着呼が検出されたときに、前記外部電話端末機から第１認証情報を取得する第１認証情報取得手段と、
前記着呼検出手段により前記着呼が検出されたときに、前記外部電話端末機の電話番号を取得する取得手段と、
前記第１認証情報取得手段により取得された前記外部電話端末機の前記第１認証情報と前記第１認証情報記憶手段により記憶された前記第１認証情報とを比較し、更に、前記取得手段により取得された前記外部電話端末機の前記電話番号と前記第１認証情報記憶手段により記憶された前記電話番号とを比較することにより、認証を行う第１認証手段と、
前記第１認証手段により認証された場合に、前記第１認証情報記憶手段に記憶され、前記第１認証情報に対応付けられた前記電話番号に対して自動的に発呼する発呼手段と、
前記外部電話端末機の第２認証情報を記憶する第２認証情報記憶手段と、
前記発呼手段により発呼されて接続された前記外部電話端末機から、第２認証情報を取得する第２認証情報取得手段と、
前記第２認証情報取得手段により取得された前記外部電話端末機の前記第２認証情報と前記第２認証情報記憶手段により記憶された前記第２認証情報とを比較して、認証を行う第２認証手段と、
前記発呼手段により発呼されて接続された前記外部電話端末機からの制御信号に基づいて、前記第２認証手段により認証された場合に、前記対象機器の制御を行う制御手段と、を備え、
前記第１認証情報は、前記外部電話端末機からの着呼回数であり、
前記第２認証情報は、暗証番号であり、
前記第１認証情報取得手段は、
前記外部電話端末機からの着呼開始から終了までの着呼回数を取得することを特徴とする遠隔制御システム。
【請求項２】
外部電話端末機に電話回線を介して接続され、且つ、前記外部電話端末機から送信される制御信号により遠隔制御の対象である対象機器を制御する電話端末機において、
前記外部電話端末機の認証情報と電話番号とを対応付けて記憶する認証情報記憶手段と、
前記外部電話端末機からの着呼を検出する着呼検出手段と、
前記着呼検出手段により前記着呼が検出されたときに、前記外部電話端末機から認証情報を取得する認証情報取得手段と、
前記認証情報取得手段により取得された前記外部電話端末機の前記認証情報と前記認証情報記憶手段により記憶された前記認証情報とを比較して、認証を行う認証手段と、
前記認証手段により認証された場合に、前記認証情報記憶手段に記憶され、前記認証情報に対応付けられた前記電話番号に対して自動的に発呼する発呼手段と、
前記発呼手段により発呼されて接続された前記外部電話端末機からの制御信号に基づいて、前記対象機器の制御を行う制御手段と、
を備えることを特徴とする電話端末機。
【請求項３】
前記認証情報は、前記外部電話端末機からの着呼回数であり、
前記認証情報取得手段は、
前記外部電話端末機からの着呼開始から終了までの着呼回数を取得することを特徴とする請求項２に記載の電話端末機。
【請求項４】
前記外部電話端末機の第２認証情報を記憶する第２認証情報記憶手段と、
前記発呼手段により発呼されて接続された前記外部電話端末機から、第２認証情報を取得する第２認証情報取得手段と、
前記第２認証情報取得手段により取得された前記外部電話端末機の前記第２認証情報と前記第２認証情報記憶手段により記憶された前記第２認証情報とを比較して、認証を行う第２認証手段と、を備え、
前記制御手段は、前記第２認証手段により認証された場合に、前記発呼手段により発呼されて接続された前記外部電話端末機からの制御信号に基づいて、前記対象機器の制御を行うことを特徴とする請求項２又は３に記載の電話端末機。
【請求項５】
遠隔制御の対象である対象機器と、前記対象機器に接続された電話端末機と、前記電話端末機に電話回線を介して接続されて前記対象機器の遠隔操作を行う外部電話端末機と、を備える遠隔制御システムにおいて、
前記電話端末機は、
前記外部電話端末機の認証情報と電話番号とを対応付けて記憶する認証情報記憶手段と、
前記外部電話端末機からの着呼を検出する着呼検出手段と、
前記着呼検出手段により前記着呼が検出されたときに、前記外部電話端末機から認証情報を取得する認証情報取得手段と、
前記認証情報取得手段により取得された前記外部電話端末機の前記認証情報と前記認証情報記憶手段により記憶された前記認証情報とを比較して、認証を行う認証手段と、
前記認証手段により認証された場合に、前記認証情報記憶手段に記憶され、前記認証情報に対応付けられた前記電話番号に対して自動的に発呼する発呼手段と、
前記発呼手段により発呼されて接続された前記外部電話端末機からの制御信号に基づいて、前記対象機器の制御を行う制御手段と、
を備えることを特徴とする遠隔制御システム。
【請求項６】
前記認証情報は、前記外部電話端末機からの着呼回数であり、
前記認証情報取得手段は、
前記外部電話端末機からの着呼開始から終了までの着呼回数を取得することを特徴とする請求項５に記載の遠隔制御システム。
【請求項７】
前記電話端末機は、
前記外部電話端末機の第２認証情報を記憶する第２認証情報記憶手段と、
前記発呼手段により発呼されて接続された前記外部電話端末機から、第２認証情報を取得する第２認証情報取得手段と、
前記第２認証情報取得手段により取得された前記外部電話端末機の前記第２認証情報と前記第２認証情報記憶手段により記憶された前記第２認証情報とを比較して、認証を行う第２認証手段と、を備え、
前記制御手段は、前記第２認証手段により認証された場合に、前記発呼手段により発呼されて接続された前記外部電話端末機からの制御信号に基づいて、前記対象機器の制御を行うことを特徴とする請求項５又は６に記載の遠隔制御システム。
【発明の詳細な説明】
【技術分野】
【０００１】
本発明は、電話端末機及び電話回線を用いた遠隔制御システムに関する。
【背景技術】
【０００２】
従来、電話回線を用いて、電話機等から遠隔地の機器を操作する遠隔制御システムとして、例えば、ユーザが電話機から電話をかけたときに、電話機からの着呼を検出し、当該着呼が検出されると、電話番号の通知の有無や、通知された電話番号、着呼の開始から終了までの時間又は着呼回数等に応じて、機器における遠隔制御を行う技術（例えば、特許文献１参照）等、様々な技術が開示されている。
【０００３】
ところで、電話機から遠隔地における機器の遠隔制御を行うシステムにおいては、第三者による機器の勝手な操作を防止するためのセキュリティー対策を講ずる必要がある。そこで、遠隔制御システムにおけるセキュリティー性確保のためのユーザ認証方法として、機器に対するリモート制御を許可する携帯電話機の電話番号を記憶する認証メモリを設け、携帯電話機からのリモート要求信号とともに送信されてきた電話番号が、認証メモリに記憶された電話番号と一致している場合にのみ、遠隔操作を可能とする技術（例えば、特許文献２参照）が開示されている。
【０００４】
ところが、特許文献２における発信者電話番号によるユーザ認証方法では、電話番号のなりすましによる不正アクセスを排除することができないため、セキュリティー性の確保が十分でない。
【０００５】
そのため、携帯端末により機器の遠隔操作を行う際、ユーザによる暗証番号の入力が要求される技術（例えば、特許文献３参照）や、遠隔制御装置の音声認識部において予め正規利用者の声紋が登録されており、当該登録された声紋と入力された音声データの声紋とを比較することによって、音声データを発声した人物の認証を行う技術（例えば、特許文献４参照）が開示されている。
【特許文献１】特開２００２−９４６８２号公報
【特許文献２】特開２００３−０３７８８０号公報
【特許文献３】特開２００５−３１９８４号公報
【特許文献４】特開２００２−１６４９９３号公報
【発明の開示】
【発明が解決しようとする課題】
【０００６】
しかしながら、特許文献３における暗証番号によるユーザ認証方法においては、暗証番号が第三者に知られてしまう可能性があり、セキュリティー性の確保を十分に図ることができないという問題があった。また、特許文献４の声紋によるユーザ認証方法では、音声認識のための特殊な装置の導入が必要となり、コストがかかるという問題があった。
【０００７】
本発明の課題は、外部電話端末機に電話回線を介して接続され、且つ、前記外部電話端末機から送信される制御信号により遠隔制御の対象である対象機器を制御する電話端末機において、コストをかけることなく、電話番号のなりすましや、暗証番号の盗用による不正アクセスを防止し、セキュリティー性の向上を図ることのできる電話端末機、及び、かかる電話端末機を備えた遠隔制御システムを提供することである。
【課題を解決するための手段】
【０００８】
以上の課題を解決するため、請求項１に記載の発明は、遠隔制御の対象である対象機器と、前記対象機器に接続された電話端末機と、前記電話端末機に電話回線を介して接続さ
れて前記対象機器の遠隔操作を行う外部電話端末機と、を備える遠隔制御システムにおいて、
前記電話端末機は、
前記外部電話端末機の第１認証情報と電話番号とを対応付けて記憶する第１認証情報記憶手段と、
前記外部電話端末機からの着呼を検出する着呼検出手段と、
前記着呼検出手段により前記着呼が検出されたときに、前記外部電話端末機から第１認証情報を取得する第１認証情報取得手段と、
前記着呼検出手段により前記着呼が検出されたときに、前記外部電話端末機の電話番号を取得する取得手段と、
前記第１認証情報取得手段により取得された前記外部電話端末機の前記第１認証情報と前記第１認証情報記憶手段により記憶された前記第１認証情報とを比較し、更に、前記取得手段により取得された前記外部電話端末機の前記電話番号と前記第１認証情報記憶手段により記憶された前記電話番号とを比較することにより、認証を行う第１認証手段と、
前記第１認証手段により認証された場合に、前記第１認証情報記憶手段に記憶され、前記第１認証情報に対応付けられた前記電話番号に対して自動的に発呼する発呼手段と、
前記外部電話端末機の第２認証情報を記憶する第２認証情報記憶手段と、
前記発呼手段により発呼されて接続された前記外部電話端末機から、第２認証情報を取得する第２認証情報取得手段と、
前記第２認証情報取得手段により取得された前記外部電話端末機の前記第２認証情報と前記第２認証情報記憶手段により記憶された前記第２認証情報とを比較して、認証を行う第２認証手段と、
前記発呼手段により発呼されて接続された前記外部電話端末機からの制御信号に基づいて、前記第２認証手段により認証された場合に、前記対象機器の制御を行う制御手段と、を備え、
前記第１認証情報は、前記外部電話端末機からの着呼回数であり、
前記第２認証情報は、暗証番号であり、
前記第１認証情報取得手段は、
前記外部電話端末機からの着呼開始から終了までの着呼回数を取得することを特徴とする。
【０００９】
請求項２に記載の発明は、外部電話端末機に電話回線を介して接続され、且つ、前記外部電話端末機から送信される制御信号により遠隔制御の対象である対象機器を制御する電話端末機において、
前記外部電話端末機の認証情報と電話番号とを対応付けて記憶する認証情報記憶手段と、
前記外部電話端末機からの着呼を検出する着呼検出手段と、
前記着呼検出手段により前記着呼が検出されたときに、前記外部電話端末機から認証情報を取得する認証情報取得手段と、
前記認証情報取得手段により取得された前記外部電話端末機の前記認証情報と前記認証情報記憶手段により記憶された前記認証情報とを比較して、認証を行う認証手段と、
前記認証手段により認証された場合に、前記認証情報記憶手段に記憶され、前記認証情報に対応付けられた前記電話番号に対して自動的に発呼する発呼手段と、
前記発呼手段により発呼されて接続された前記外部電話端末機からの制御信号に基づいて、前記対象機器の制御を行う制御手段と、
を備えることを特徴とする。
【００１０】
請求項３に記載の発明は、請求項２に記載の電話端末機において、前記認証情報は、前記外部電話端末機からの着呼回数であり、
前記認証情報取得手段は、
前記外部電話端末機からの着呼開始から終了までの着呼回数を取得することを特徴とする。
【００１１】
請求項４に記載の発明は、請求項２又は３に記載の電話端末機において、前記外部電話端末機の第２認証情報を記憶する第２認証情報記憶手段と、
前記発呼手段により発呼されて接続された前記外部電話端末機から、第２認証情報を取得する第２認証情報取得手段と、
前記第２認証情報取得手段により取得された前記外部電話端末機の前記第２認証情報と前記第２認証情報記憶手段により記憶された前記第２認証情報とを比較して、認証を行う第２認証手段と、を備え、
前記制御手段は、前記第２認証手段により認証された場合に、前記発呼手段により発呼されて接続された前記外部電話端末機からの制御信号に基づいて、前記対象機器の制御を行うことを特徴とする。
【００１２】
請求項５に記載の発明は、遠隔制御の対象である対象機器と、前記対象機器に接続された電話端末機と、前記電話端末機に電話回線を介して接続されて前記対象機器の遠隔操作を行う外部電話端末機と、を備える遠隔制御システムにおいて、
前記電話端末機は、
前記外部電話端末機の認証情報と電話番号とを対応付けて記憶する認証情報記憶手段と、
前記外部電話端末機からの着呼を検出する着呼検出手段と、
前記着呼検出手段により前記着呼が検出されたときに、前記外部電話端末機から認証情報を取得する認証情報取得手段と、
前記認証情報取得手段により取得された前記外部電話端末機の前記認証情報と前記認証情報記憶手段により記憶された前記認証情報とを比較して、認証を行う認証手段と、
前記認証手段により認証された場合に、前記認証情報記憶手段に記憶され、前記認証情報に対応付けられた前記電話番号に対して自動的に発呼する発呼手段と、
前記発呼手段により発呼されて接続された前記外部電話端末機からの制御信号に基づいて、前記対象機器の制御を行う制御手段と、
を備えることを特徴とする。
【００１３】
請求項６に記載の発明は、請求項５に記載の遠隔制御システムにおいて、前記認証情報は、前記外部電話端末機からの着呼回数であり、
前記認証情報取得手段は、
前記外部電話端末機からの着呼開始から終了までの着呼回数を取得することを特徴とする。
【００１４】
請求項７に記載の発明は、請求項５又は６に記載の遠隔制御システムにおいて、前記電話端末機は、
前記外部電話端末機の第２認証情報を記憶する第２認証情報記憶手段と、
前記発呼手段により発呼されて接続された前記外部電話端末機から、第２認証情報を取得する第２認証情報取得手段と、
前記第２認証情報取得手段により取得された前記外部電話端末機の前記第２認証情報と前記第２認証情報記憶手段により記憶された前記第２認証情報とを比較して、認証を行う第２認証手段と、を備え、
前記制御手段は、前記第２認証手段により認証された場合に、前記発呼手段により発呼されて接続された前記外部電話端末機からの制御信号に基づいて、前記対象機器の制御を行うことを特徴とする。
【発明の効果】
【００１５】
請求項１に記載の発明によれば、電話端末機において、外部電話端末機からの着呼の検出に基づいて着呼回数及び電話番号が取得され、第１認証手段により認証された場合に、第１認証情報記憶手段により記憶された電話番号に対して発呼手段により自動的に発呼し、当該発呼により接続された外部電話端末機において、第２認証手段により認証された場合に、電話端末機に接続された外部電話端末機からの制御信号に基づく制御手段による対象機器の制御が行われるので、正しい外部電話端末機からの操作以外は受け付けないこととなって、電話番号のなりすまし等の不正アクセスを防止してセキュリティー性の向上を図ることができる。
【００１６】
また、第１認証情報は着呼回数であり、第２認証情報は暗証番号であるので、第１、第２認証手段による認証が容易且つ確実に行われることとなる。
【００１７】
請求項２に記載の発明によれば、電話端末機において、外部電話端末機からの着呼の検出に基づいて認証情報が取得され、認証手段により認証された場合に、認証情報記憶手段により記憶された電話番号に対して発呼手段により自動的に発呼し、当該発呼により接続された外部電話端末機において、電話端末機に接続された外部電話端末機からの制御信号に基づく制御手段による対象機器の制御が行われるので、正しい外部電話端末機からの操作以外は受け付けないこととなって、電話番号のなりすまし等の不正アクセスを防止してセキュリティー性の向上を図ることができる。
【００１８】
請求項３に記載の発明によれば、認証情報は外部電話端末機からの着呼回数であるので、認証手段による認証が容易且つ確実に行われることとなる。
【００１９】
請求項４に記載の発明によれば、電話端末機において、第２認証手段により認証された場合に、発呼手段により発呼されて接続された前記外部電話端末機からの制御信号に基づいて制御手段による対象機器の制御が行われるので、不正アクセスを防止してセキュリティー性の向上を更に図ることができる。
【００２０】
請求項５に記載の発明によれば、電話端末機において、外部電話端末機からの着呼の検出に基づいて認証情報及び電話番号が取得され、認証手段により認証された場合に、認証情報記憶手段により記憶された電話番号に対して発呼手段により自動的に発呼し、当該発呼により接続された外部電話端末機において、電話端末機に接続された外部電話端末機からの制御信号に基づく制御手段による対象機器の制御が行われるので、正しい外部電話端末機からの操作以外は受け付けないこととなって、電話番号のなりすまし等の不正アクセスを防止してセキュリティー性の向上を図ることができる。
【００２１】
請求項６に記載の発明によれば、認証情報は外部電話端末機からの着呼回数であるので、認証手段による認証が容易且つ確実に行われることとなる。
【００２２】
請求項７に記載の発明によれば、電話端末機において、第２認証手段により認証された場合に、発呼手段により発呼されて接続された前記外部電話端末機からの制御信号に基づいて制御手段による対象機器の制御が行われるので、当該電話端末機を備える遠隔制御システムにおいて、不正アクセスを防止してセキュリティー性の向上を更に図ることができる。
【発明を実施するための最良の形態】
【００２３】
以下、本発明の実施の形態について、図面を参照しながら詳細に説明する。
【００２４】
本実施形態は、電子機器の遠隔制御を行う遠隔制御システムについて説明する。
【００２５】
本実施形態による遠隔制御システム１００は、例えば、図１に示すように、本遠隔制御システム１００の制御対象であり、建物内に配置された一又は複数台の対象機器としての
宅内機器１と、当該宅内機器１に対する遠隔操作を実行させる電話端末機２と、当該電話端末機２と電話回線としての公衆電話交換網（Public Switched Telephone Network: PSTN）を介して接続され、電話端末機２に各種指示を送信することにより宅内機器１の遠隔
操作を行う外部電話端末機としての携帯電話機３と、を備えて構成される。
【００２６】
公衆電話交換網（PSTN）は、公衆電話交換網（PSTN）内の図示しない多数の交換機が相互に接続されており、加入者線（図示省略）を介して当該交換機に接続された電話端末機２の加入者が、電話端末機２を操作して電話番号を入力すると、交換機によるスイッチングが行われて、当該入力した電話番号が割り当てられた電話機との回線が接続され、通話路が成立するようになっている。携帯電話機３は、携帯電話網における基地局（図示省略）、移動通信制御局（図示省略）及び移動関門交換機（図示省略）等を介して、公衆電話交換網（PSTN）における関門交換機（図示省略）に接続されて、公衆電話交換網（PSTN）内の電話端末機２との回線が接続され、通話路が成立する。
【００２７】
公衆電話交換網（PSTN）を介して接続された電話端末機２及び携帯電話機３は、音声信号及び各種制御信号等を、ＤＴＭＦ信号（二重トーン多周波数信号）に変換して公衆電話交換網（PSTN）に送出するとともに、公衆電話交換網（PSTN）を介して受信したＤＴＭＦ信号を音声信号及び制御信号等に変換する。当該音声信号又は当該制御信号に従って、電話端末機２及び携帯電話機３における通話及び各種制御等が実行されることとなる。
【００２８】
宅内機器１は、例えば、エアコンや照明機器、テレビジョン受像機、冷蔵庫等の電子機器であり、電話端末機２から図示しない制御部に入力された制御信号や、ユーザの宅内機器１に備わる図示しない操作入力部の操作により、制御部に入力された制御信号等に応じて、宅内機器１における制御が実行される。
【００２９】
電話端末機２は、例えば、図２に示すように、信号生成部２１と、回線インターフェース２２と、機器通信部２３と、音声合成出力部２４と、制御部２５と、を備えて構成されている。
【００３０】
信号生成部２１は、ＤＴＭＦエンコーダ２１ａ及びＤＴＭＦデコーダ２１ｂ等を備え、携帯電話機３から公衆電話交換網（PSTN）を介して電話端末機２に入力されたＤＴＭＦ信号を、音声信号又は制御信号に変換して制御部２５に入力するとともに、制御部２５から入力された音声信号又は制御信号をＤＴＭＦ信号に変換して制御部２５に入力する。
【００３１】
回線インターフェース２２は、回線受信部２２１と回線送信部２２２と、を備え、入力端子Ｌ１、Ｌ２を介して公衆電話交換網（PSTN）と接続されている。
【００３２】
回線受信部２２１は、リング検出回路２２１ａと、極性反転回路２２１ｂと、を備えて構成されており、公衆電話交換網（PSTN）を介して携帯電話機３から入力されたＤＴＭＦ信号に変換された音声信号や制御信号等を受信する。リング検出回路２２１ａは、公衆電話交換網（PSTN）からの着呼信号のパルスを測定して、携帯電話機３からの着呼を検出し、極性反転回路２２１ｂは、公衆電話交換網（PSTN）を流れる電流を測定して、電話端末機２及び携帯電話機３のオフフック及びオンフックを検出する。
【００３３】
回線送信部２２２は、公衆電話交換網（PSTN）に接続された携帯電話機３に発呼信号を送出するとともに、公衆電話交換網（PSTN）を介して、遠隔操作における音声ガイダンス等のＤＴＭＦ信号に変換された音声信号を、携帯電話機３に送信する。
【００３４】
機器通信部２３は、ＩＲ信号等の無線或いはケーブル等の有線により宅内機器１と接続されており、制御部２５から入力された制御信号を宅内機器１に送出する。
【００３５】
音声合成出力部２４は、スピーカ２４ａ等を備え、制御部２５から入力された制御信号に基づいて、遠隔操作において携帯電話機３に送信される音声ガイダンスとしての音声信
号を合成して制御部２５に出力する。
【００３６】
制御部２５は、Ｉ／Ｏポート２５１と、ＣＰＵ（Central Processing Unit）２５２と
、メモリ部２５３と、ＲＯＭ（Read Only Memory）２５４と、を備えて構成されている。
【００３７】
ＣＰＵ２５２は、Ｉ／Ｏポート２５１から入力された音声信号及び制御信号等に応じて、ＲＯＭ２５４に格納された各種プログラムを実行し、Ｉ／Ｏポート２５１を介して各部に制御信号を出力することによって、電話端末機２の動作全般を統括制御する。
【００３８】
メモリ部２５３は、ＲＡＭ（Random Access Memory）の他、ＥＰＲＯＭ（Erasable Programmable ROM）、フラッシュメモリ等の不揮発性メモリを備え、ＣＰＵ２５２によって
入力されたデータや、各種プログラムが実行される際に生じる処理結果等を記憶する。
【００３９】
メモリ部２５３は、認証情報登録テーブル２５３ａを備えており、当該認証情報登録テーブル２５３ａには、宅内機器１の遠隔操作の実行に際して行われる認証のための第１認証情報（認証情報）としての着呼回数と、宅内機器１の遠隔操作を行う携帯電話機３の電話番号とが、相互に対応付けられて格納されている。また、当該認証情報登録テーブル２５３ａには、遠隔操作を開始する際にユーザに入力が要求される、第２認証情報としての暗証番号データが格納されている。
【００４０】
ＲＯＭ２５４は、ＣＰＵ２５２によって実行される各種プログラムを格納している。具体的には、ＲＯＭ２５４には、認証情報記憶プログラム２５４ａ、着呼検出プログラム２５４ｂ、第１認証情報取得プログラム２５４ｃ、電話番号取得プログラム２５４ｄ、第１認証プログラム２５４ｅ、発呼プログラム２５４ｆ、第２認証情報取得プログラム２５４ｇ、第２認証プログラム２５４ｈ及び機器制御プログラム２５４ｉが格納されている。
【００４１】
認証情報記憶プログラム２５４ａは、例えば、ＣＰＵ２５２に、携帯電話機３の第１認証情報としての着呼回数と電話番号とを対応付けて記憶させ、更に第２認証情報としての暗証番号を記憶させる機能を実現させるプログラムである。具体的には、ＣＰＵ２５２は、ユーザによる操作に基づいて、携帯電話機３の着呼回数（例えば、１回）を、携帯電話機３の電話番号と対応づけて、メモリ部２５３の認証情報登録テーブル２５３ａに登録させ、更に暗証番号を認証情報登録テーブル２５３ａに登録させる。
【００４２】
ＣＰＵ２５２は、かかる認証情報記憶プログラム２５４ａを実行することにより、認証情報登録テーブル２５３ａとともに第１認証情報記憶手段（認証情報記憶手段）及び第２認証情報記憶手段として機能する。
【００４３】
着呼検出プログラム２５４ｂは、例えば、ＣＰＵ２５２に、リング検出回路２２１ａに、携帯電話機３から公衆電話交換網（PSTN）を介して入力された着呼信号を検出させることにより、着呼を検出させる機能を実現させるプログラムである。
【００４４】
ＣＰＵ２５２は、かかる着呼検出プログラム２５４ｂを実行することにより、リング検出回路２２１ａとともに着呼検出手段として機能する。
【００４５】
第１認証情報取得プログラム２５４ｃは、例えば、ＣＰＵ２５２に、携帯電話機３からの着呼を検出したときに、着呼開始から終了までの着呼回数をカウントさせ、着呼回数を取得させる機能を実現させるプログラムである。
【００４６】
ＣＰＵ２５２は、かかる第１認証情報取得プログラム２５４ｃを実行することにより、第１認証情報取得手段（認証情報取得手段）として機能する。
【００４７】
電話番号取得プログラム２５４ｄは、例えば、ＣＰＵ２５２に、携帯電話機３からの着呼の検出に基づいて、携帯電話機３の電話番号を取得させる機能を実現させるプログラムである。
【００４８】
ＣＰＵ２５２は、かかる電話番号取得プログラム２５４ｄを実行することにより、取得手段として機能する。
【００４９】
第１認証プログラム２５４ｅは、例えば、ＣＰＵ２５２に、携帯電話機３からの着呼の検出に基づいて、第１認証情報取得プログラム２５４ｃの実行により取得された着呼回数が、メモリ部２５３の認証情報登録テーブル２５３ａに予め記憶された着呼回数と一致するか否かを判断させ、両着呼回数が一致した場合に、更に、電話番号取得プログラム２５４ｄの実行により取得した携帯電話機３の電話番号が、メモリ部２５３の認証情報登録テーブル２５３ａに予め記憶された電話番号と一致するか否かを判断させ、両電話番号が一致した場合に、認証を行わせる機能を実現させるプログラムである。
【００５０】
ＣＰＵ２５２は、かかる第１認証プログラム２５４ｅを実行することにより、第１認証手段（認証手段）として機能する。
【００５１】
発呼プログラム２５４ｆは、例えば、ＣＰＵ２５２に、第１認証プログラム２５４ｅにより認証が正常に実行されたときに、メモリ部２５３の認証情報登録テーブル２５３ａに着呼回数と対応付けられて登録された携帯電話機３の電話番号に対して、回線送信部２２２により、自動的に発呼させる機能を実現させるプログラムである。
【００５２】
ＣＰＵ２５２は、かかる発呼プログラム２５４ｆを実行することにより、回線送信部２２２とともに発呼手段として機能する。
【００５３】
第２認証情報取得プログラム２５４ｇは、例えば、ＣＰＵ２５２に、発呼プログラム２５４ｆの実行により発呼されて接続された携帯電話機３から、暗証番号を取得させる機能を実現させるプログラムである。
【００５４】
具体的には、電話端末機２から携帯電話機３に発呼がなされ、当該発呼により携帯電話機３においてオンフックが行われて電話端末機２と携帯電話機３とが接続されると、電話端末機２は、音声ガイダンス（例えば、「暗証番号を入力してください。」等）を公衆電話交換網（PSTN）を介して携帯電話機３に送出し、携帯電話機３のユーザに暗証番号の入力を要求する。当該音声ガイダンスに従って、ユーザにより携帯電話機３のプッシュボタン３３ａが押下操作されて公衆電話交換網（PSTN）を介して暗証番号が入力されると、電話端末機２が当該暗証番号を取得する。
【００５５】
ＣＰＵ２５２は、かかる第２認証情報取得プログラム２５４ｇを実行することにより、第２認証情報取得手段として機能する。
【００５６】
第２認証プログラム２５４ｈは、例えば、ＣＰＵ２５２に、第２認証情報取得プログラム２５４ｇの実行により取得した暗証番号が、メモリ部２５３の認証情報登録テーブル２５３ａに予め記憶された暗証番号と一致するか否かを判断させ、両暗証番号が一致した場合に、認証を行わせる機能を実現させるプログラムである。
【００５７】
ＣＰＵ２５２は、かかる第２認証プログラム２５４ｈを実行することにより、第２認証手段として機能する。
【００５８】
機器制御プログラム２５４ｉは、例えば、ＣＰＵ２５２に、第２認証プログラム２５４ｈの実行により認証が行われた場合に、発呼プログラム２５４ｆの実行により発呼されて電話端末機２に接続された携帯電話機３からの制御信号に基づいて、宅内機器１の制御を行わせる機能を実現させるプログラムである。
【００５９】
具体的には、第２認証プログラム２５４ｈの実行により、電話端末機２に接続された携帯電話機３から入力された暗証番号が、認証情報登録テーブル２５３ａに記憶された暗証番号と一致しており、認証が行われると、ＣＰＵ２５２は、遠隔操作の手順をユーザに通知するための音声ガイダンス（例えば、「エアコンの操作を行う場合は『１』を、照明の操作を行う場合は『２』を押してください。」等）を公衆電話交換網（PSTN）を介して送出し、当該音声ガイダンスに従って、携帯電話機３のプッシュボタン３３ａが押下操作さ
れ、制御信号が公衆電話交換網（PSTN）を介して入力されると、当該制御信号を受信して変換し、制御部２５に入力する。制御部２５に制御信号が入力されると、ＣＰＵ２５２は、当該制御信号に基づく制御信号を、機器通信部２３を介して宅内機器１に送出することにより宅内機器１の制御を行う。
【００６０】
ＣＰＵ２５２は、かかる機器制御プログラム２５４ｉを実行することにより、携帯電話機３、機器通信部２３とともに制御手段として機能する。
【００６１】
図３は、携帯電話機３の要部構成を示すブロック図である。
【００６２】
図３に示すように、携帯電話機３は、音声信号及び制御信号等を送受信する送受信部３１と、各種データ及びプログラム等を格納するメモリ部３２と、ユーザにより各種入力操作がされるプッシュボタン３３ａを備える操作入力部３３と、各部に制御信号を出力することにより、携帯電話機３を統括制御するＣＰＵ３４と、を備えて構成されている。
【００６３】
操作入力部３３に備わるプッシュボタン３３ａには、それぞれ数字及び／又は文字が割り当てられており、当該プッシュボタン３３ａを押下操作すると、押下操作されたプッシュボタン３３ａに割り当てられた数字又は文字に基づく操作入力信号がＣＰＵ３４に入力されることとなる。
【００６４】
次に、電話端末機２のＣＰＵ２５２及び携帯電話機３のＣＰＵ３４によって行われる遠隔操作動作処理について、図４を参照して説明する。
【００６５】
遠隔操作動作処理は、ＣＰＵ２５２が、着呼検出プログラム２５４ｂ、第１認証情報取得プログラム２５４ｃ、電話番号取得プログラム２５４ｄ、第１認証プログラム２５４ｅ、発呼プログラム２５４ｆ、第２認証情報取得プログラム２５４ｇ、第２認証プログラム２５４ｈ及び機器制御プログラム２５４ｉを実行することにより行われる。
【００６６】
まずステップＳ１において、ユーザにより携帯電話機３のプッシュボタン３３ａが押下されて、電話番号の入力がなされると、携帯電話機３のＣＰＵ３４により、公衆電話交換網（PSTN）を介して発呼信号が送出され、電話端末機２に対する着呼が開始する。次に、電話端末機２のＣＰＵ２５２は、当該着呼を検出すると（ステップＳ２）、着呼回数のカウント及び電話番号の取得を行う（ステップＳ３）。ステップＳ４において、携帯電話機３においてユーザによりオンフックがなされると、電話端末機２に対する着呼が終了する。電話端末機２のＣＰＵ２５２は、ステップＳ５において、カウントした着呼開始から着呼終了までの着呼回数が、メモリ部２５３の認証情報登録テーブル２５３ａに記憶された第１認証情報としての着呼回数と一致するか否かを判断し、両着呼回数が一致すると判断すると（ステップＳ５；ＹＥＳ）、取得した電話番号がメモリ部２５３の認証情報登録テーブル２５３ａに記憶された電話番号と一致するか否かを判断する（ステップＳ６）。電話端末機２のＣＰＵ２５２は、ステップＳ６において、両電話番号が一致すると判断すると（ステップＳ６；ＹＥＳ）、電話端末機２のＣＰＵ２５２により、公衆電話交換網（PSTN）を介して発呼信号が送出され、携帯電話機３に対する着呼が開始する。
【００６７】
ステップＳ７において、携帯電話機３においてユーザによりオフフックがなされると、当該オフフックに基づいて携帯電話機３と電話端末機２との通話路が成立する。次に、電話端末機２のＣＰＵ２５２は、暗証番号の入力を要求するための音声ガイダンスを送出し（ステップＳ８）、当該音声ガイダンスが公衆電話交換網（PSTN）を介して携帯電話機３に送信される。当該音声ガイダンスに従って、携帯電話機３においてユーザによりプッシュボタン３３ａが押下操作されて暗証番号が入力されると（ステップＳ９）、携帯電話機３のＣＰＵ３４により、暗証番号データが公衆電話交換網（PSTN）を介して電話端末機２に送信される。電話端末機２のＣＰＵ２５２は、携帯電話機３から送信された暗証番号データを受信すると、当該暗証番号データに基づく暗証番号が、メモリ部２５３の認証情報登録テーブル２５３ａに記憶された第２認証情報としての暗証番号と一致するか否かを判
断する（ステップＳ１０）。電話端末機２のＣＰＵ２５２は、両暗証番号が一致すると判断すると（ステップＳ１０；ＹＥＳ）、宅内機器１の遠隔操作を行うための音声ガイダンスを送出し（ステップＳ１１）、当該音声ガイダンスが公衆電話交換網（PSTN）を介して携帯電話機３に送信される。
【００６８】
次に、当該音声ガイダンスに基づいて、携帯電話機３においてユーザによりプッシュボタン３３ａが押下操作されると（ステップＳ１２）、携帯電話機３のＣＰＵ３４により、宅内機器１の遠隔操作のための制御信号が公衆電話交換網（PSTN）を介して電話端末機２に送信される。電話端末機２のＣＰＵ２５２は、公衆電話交換網（PSTN）を介して携帯電話機３から送信された制御信号を受信すると、当該制御信号に基づく制御信号を機器通信部２３により宅内機器１に入力し、宅内機器１の遠隔操作を実行する（ステップＳ１３）。所望の遠隔操作が終了し、ユーザにより携帯電話機３においてオンフックがなされると（ステップＳ１４）、携帯電話機３と電話端末機２との通話路が切断されて、本処理を終了する。
【００６９】
以上説明した本発明にかかる遠隔制御システム１００によれば、電話端末機２において、ＣＰＵ２５２による着呼検出プログラム２５４ｂの実行により、携帯電話機３からの着呼が検出されると、第１認証情報取得プログラム２５４ｃの実行による着呼回数のカウント及び電話番号取得プログラム２５４ｄの実行による電話番号の取得が行われ、当該着呼回数及び電話番号に基づいて、ＣＰＵ２５２による第１認証プログラム２５４ｅの実行による認証がなされた場合に、認証情報記憶プログラム２５４ａの実行により記憶された電話番号に対して、ＣＰＵ２５２による発呼プログラム２５４ｆの実行により自動的に発呼される。当該発呼により接続され、通話路が成立した携帯電話機３において暗証番号が入力されて、ＣＰＵ２５２による第２認証プログラム２５４ｈの実行により認証がなされると、電話端末機２に接続された携帯電話機３からの制御信号に基づいて、機器制御プログラム２５４ｉの実行による対象機器の制御が行われる。従って、正しい携帯電話機３からの操作以外は受け付けないこととなって、電話番号のなりすまし等の不正アクセスを防止してセキュリティー性の向上を図ることができる。
【００７０】
なお、本発明は、上記実施の形態に限定されることなく、本発明の趣旨を逸脱しない範囲において、種々の改良並びに設計の変更を行っても良い。
【００７１】
例えば、本発明は、電話端末機２において、第１認証情報（認証情報）が着呼回数である例を用いて説明したが、第１認証情報（認証情報）は着呼回数に限られず、電話番号であっても良い。
【００７２】
また、本発明は、電話端末機２において、携帯電話機３からの着呼の検出に応じて第１認証情報（認証情報）の取得及び電話番号の取得が行われる例を用いて説明したが、電話番号の取得は行われない設計であっても良い。
【００７３】
また、本発明は、第２認証手段を必ずしも必要とせず、電話端末機２からの発呼に応じて携帯電話機３が接続されて通話路が成立すると、暗証番号の入力が無くとも直ちに宅内機器１の制御が開始される設計であっても良い。
【００７４】
また、本発明は、電話端末機２を介して宅内機器１の制御を行う装置として携帯電話機３を用いて説明したが、宅内機器１の制御を行う電話機は携帯電話機３に限られず、固定電話機であっても良い。
【００７５】
また、本発明は、遠隔制御の対象である対象機器として建物内に配置された宅内機器１を用いて説明したが、対象機器は、電話端末機２からの制御が可能な電子機器であれば屋外に配置されたものであっても良い。
【００７６】
また、本発明は、電話端末機２から音声ガイダンスを携帯電話機３に送信することにより、当該音声ガイダンスに従って、遠隔操作が行われる設計としたが、音声ガイダンスは必ずしも必要でなく、携帯電話機３の表示画面に遠隔操作のためのデータを表示させ、当該表示に基づいて遠隔操作が実行される設計であっても良い。
【００７７】
また、第１認証情報（認証情報）は、着呼回数に限られず、着呼開始から終了までの着呼時間等であっても良い。
【図面の簡単な説明】
【００７８】
【図１】本発明にかかる遠隔制御システムの構成を示す図である。
【図２】本発明にかかる遠隔制御システムにおける電話端末機の主要な内部構成を示すブロック図である。
【図３】本発明にかかる遠隔制御システムにおける携帯電話機の主要な内部構成を示すブロック図である。
【図４】遠隔操作動作処理を示すフローチャートである。
【符号の説明】
【００７９】
１００    遠隔制御システム7 
１        宅内機器（対象機器）
２        電話端末機
２２１ａ  リング検出回路（着呼検出手段）
２２２    回線受信部（発呼手段）
２３      機器通信部（制御手段）
２５２    ＣＰＵ（第１認証情報記憶手段、認証情報記憶手段、着呼検出手段、第１認証情報取得手段、認証情報取得手段、取得手段、発呼手段、第２認証情報記憶手段、第２認証情報取得手段、第２認証手段、制御手段）
２５３ａ  認証情報登録テーブル（第１認証情報記憶手段、認証情報記憶手段、第２認証情報記憶手段）
２５４ａ  認証情報記憶プログラム（第１認証情報記憶手段、認証情報記憶手段、第２認証情報記憶手段）
２５４ｂ  着呼検出プログラム（着呼検出手段）
２５４ｃ  第１認証情報取得プログラム（第１認証情報手段手段、認証情報取得手段）
２５４ｄ  電話番号取得プログラム（取得手段）
２５４ｅ  発呼プログラム（発呼手段）
２５４ｆ  第２認証情報取得プログラム（第２認証情報取得手段）
２５４ｇ  第２認証プログラム（第２認証手段）
２５４ｈ  遠隔制御プログラム（制御手段）
３        携帯電話機（外部電話端末機、制御手段）
【図１】
2007081664.tif 000003
【図２】
2007081664.tif 000004
【図３】
2007081664.tif 000005
【図４】
2007081664.tif 000006